(57)【要約】本発明の目的は、シートベルトの装飾性、情報伝達機能、道路交通マナーのメッセージ用の粘着テープを提供すること、及び、作業者の意図しない方向への曲がりを規制し、作業性良い粘着テープ繰り出し装置を提供すること。  本発明の構成は、シートベルトの表面に粘着されるベルト用粘着テープ、及び、ロール状に巻回された粘着テープを回転可能及び着脱可能に支持するテープ支持体と、このテープ支持体に支持された粘着テープから引き出された粘着テープを案内する第１のガイドローラと、該第１のガイドローラを一部掩覆するように対向して配置されている第１の案内体と、粘着テープが貼付される帯状体を案内し、前記第１のガイドローラとの間に前記引き出された粘着テープを前記帯状体に対向して位置させ、前記第１のガイドローラと協同して圧着する第２のガイドローラと、該第２のガイドローラを一部掩覆するように該第２のガイドローラに対向して配置されている第２の案内体を備え、前記テープ支持体から引き出され前記第１のガイドローラに案内された前記粘着テープの粘着面が貼付される前記帯状体の所定位置に対向するように、前記帯状体を規制する規制部を前記第２の案内体に設けてなる粘着テープ繰り出し装置。
2004103870.tif 000002
【特許請求の範囲】
【請求項１】
帯状ベルトの表面に粘着されることを特徴とする、ベルト用粘着テープ。
【請求項２】
一面に粘着剤が塗布され、その面に離けいフィルムを有し、他面に任意の文字あるいは画像が付され、帯状ベルトの表面に粘着されることを特徴とする、ベルト用粘着テープ。
【請求項３】
蛍光塗料が塗布され、任意の文字あるいは画像が付され、帯状ベルトの表面に粘着されることを特徴とする、ベルト用粘着テープ。
【請求項４】
７００（ｇｆ／２５ｍｍ）以上の粘着力を有し、帯状のベルトの表面に粘着されることを特徴とする、ベルト用粘着テープ。
【請求項５】
７００（ｇｆ／２５ｍｍ）以上、２０００（ｇｆ／２５ｍｍ）以下の粘着力を有し、帯状のシートベルトの表面に粘着されることを特徴とする、ベルト用粘着テープ。
【請求項６】
請求項４又は５に記載のベルト用粘着テープにおいて、テープの厚みは、０．０１ｍｍ以上であることを特徴とする、ベルト用粘着テープ。
【請求項７】
帯状のシートベルトの表面に、任意の文字あるいは画像を印刷した粘着テープを貼着したことを特徴とするシートベルト。
【請求項８】
離けいフィルムで粘着面が保護されロール状に巻回された粘着テープを回転可能及び着脱可能に支持するテープ支持体と、このテープ支持体に支持された粘着テープから引き出された粘着テープを案内する第１のガイドローラと、該第１のガイドローラを一部掩覆するように対向して配置されている第１の案内体と、粘着テープが貼付される帯状体を案内し、前記第１のガイドローラとの間に前記引き出された粘着テープを前記帯状体に対向して位置させ、前記第１のガイドローラと協同して圧着する第２のガイドローラと、該第２のガイドローラを一部掩覆するように該第２のガイドローラに対向して配置されている第２の案内体を備え、前記テープ支持体から引き出され前記第１のガイドローラに案内された前記粘着テープの粘着面が貼付される前記帯状体の所定位置に対向するように、前記帯状体を規制する規制部を前記第２の案内体に設けてなることを特徴とする粘着テープ繰り出し装置。
【請求項９】
請求項１に記載の粘着テープ繰り出し装置において、前記第２の案内体に設けられた前記規制部は、前記帯状体が緩挿する溝部で形成したことを特徴とする粘着テープ繰り出し装置。
【請求項１０】
シートベルトの表面に、離けいフィルムで粘着面を保護されロール状に巻回された粘着テープを回転可能及び着脱可能に支持するテープ支持体と、このテープ支持体に支持された粘着テープから引き出された粘着テープを案内する第１のガイドローラと、該第１のガイドローラを一部掩覆するように対向して配置されている第１の案内体と、粘着テープが貼付される帯状体を案内し、前記第１のガイドローラとの間に前記引き出された粘着テープを前記帯状体に対向して位置させ、前記第１のガイドローラと協同して圧着する第２のガイドローラと、該第２のガイドローラを一部掩覆するように該第２のガイドローラに対向して配置されている第２の案内体を備え、前記テープ支持体から引き出され前記第１のガイドローラに案内された前記粘着テープの粘着面が貼付される前記帯状体の所定位置に対向するように、前記帯状体を規制する規制部を前記第２の案内体に設けてなることを特徴とする粘着テープ繰り出し装置を用いて、その表面に任意の文字あるいは画像を印刷した前記粘着テープを貼着したことを特徴とするシートベルトへの粘着テープ貼付方法。
【発明の詳細な説明】
【技術分野】
【０００１】  本発明は、シートベルトなどのベルトに粘着するベルト用粘着テープ、このベルト用粘着テープを粘着したシートベルト、粘着テープの繰り出し装置に関するもので、更に詳しくは、例えば、ロール状に巻回された粘着テープを所定長さ繰り出してベルト等に貼り付ける粘着テープ繰り出し装置、これを用いてシートベルトに粘着テープを貼着する方法に関するものである。
【背景技術】
【０００２】  従来、自動車などのシートベルトは、主として黒色の布製の帯状のベルトそのものを用いているだけで、文字や画像など何らの表示もなく、視覚的に極めて装飾性に乏しいものであった。そして、装飾性を高め、シートベルトの使用率を高めるような、シートベルトに粘着させる帯状の粘着テープは知られていない。【０００３】  また、ロール状に巻回された粘着テープを所望量引き出して貼り付ける粘着テープ繰り出し装置は知られている（特許文献１参照）。これは、粘着テープを回転可能及び着脱可能に支持するテープ支持部と、テープ支持部の前方に位置して粘着テープの引き出し部を切断するカッターを備えた切断部とを有するカッター本体とで主に構成されている。そして、粘着テープの粘着力を維持し汚れ等から保護するために、裏面が離けいフィルムによってコートされているものも使用されている。引き出された粘着テープの接着作業性を改善するものとして、例えば、テープ規制体を備え、引き出された粘着テープの不用意な動きを規制するものが知られている（特許文献２参照）。しかしながら、上述したこれらの粘着テープ繰り出し装置は、粘着テープが貼り付けられる被接着物がシートベルト、安全ベルト等の帯状のものには適していなかった。
【特許文献１】実開昭６２−１６１１４０号公報
【特許文献２】登録実用新案第３０１４０１５号
【発明の開示】
【０００４】  本発明は、シートベルトや鞄のベルトなどの帯状のベルトの表面に粘着される、ベルト用粘着テープである。
【０００５】  又は、本発明の粘着テープは、シートベルトに粘着するだけで、シートベルトベルトが、自動車の運転者に対しても、あるいは走行する自動車に対面する人に対しても、メッセージを伝達する手段となりうる。又は、肩掛けカバンなどのベルトに粘着するだけで、複数のカバンを識別することができる。
【０００６】  粘着テープの柄を単なる黒色の帯状物より、任意の色彩で描画された画像を表示すれば、装飾性が高めることができる。このように、本発明の粘着テープは、ベルトの装飾性、情報伝達機能、道路交通マナーのメッセージの提供などを行うことが出来る。しかも、装飾性が高まり、運転者独自の粘着テープを貼ることができるので、シートベルトの使用率が高まり、安全な運転が普及する効果がある。
【０００７】  ベルトに直接柄を描くと、任意の時期に装飾を変更することができず、視者にとって、飽きがきて、印象の強い表示機能を果たすことができなくなる。それに対して、本発明の粘着テープを利用することにより、簡便に、かつ短時間にベルトの表示を変更することができる。このように、任意の期間後、粘着テープを剥離して他の柄の粘着テープを貼着すれば、より装飾性を高めることができ、あるいは情報伝達機能を向上でき、宣伝広告機能や道路交通マナーの向上を図ることが出来る。
【０００８】  又は、本発明は、帯状シートベルトの表面に、任意の文字あるいは画像を付した粘着テープを貼着したシートベルトである。
【０００９】  又は、本発明は、離けいフィルムで粘着面を保護されロール状に巻回された粘着テープを回転可能及び着脱可能に支持するテープ支持体と、このテープ支持体に支持された粘着テープから引き出された粘着テープを案内する第１のガイドローラと、該第１のガイドローラを一部掩覆するように対向して配置されている第１の案内体と、粘着テープが貼付される帯状体を案内し、前記第１のガイドローラとの間に前記引き出された粘着テープを前記帯状体に対向して位置させ、前記第１のガイドローラと協同して圧着する第２のガイドローラと、該第２のガイドローラを一部掩覆するように該第２のガイドローラに対向して配置されている第２の案内体を備え、前記テープ支持体から引き出され前記第１のガイドローラに案内された前記粘着テープの粘着面が貼付される前記帯状体の所定位置に対向するように、前記帯状体を規制する規制部を前記第２の案内体に設けてなる粘着テープ繰り出し装置である。
【００１０】  この構成によれば、帯状の被接着物に粘着テープを貼付する際、作業者が意図しない方向には、曲がらないように規制した粘着テープ繰り出し装置が得られる。
【００１１】  好ましい構成例では、本発明の粘着テープ繰り出し装置においては、第２の案内体に設けられた規制部は、帯状体が緩挿する溝部で形成したことを特徴とするものである。この構成によれば、規制部は簡易な構成となるのでコストアップを抑えた粘着テープ繰り出し装置が得られる。
【００１２】  本発明の粘着テープ繰り出し装置によれば、シートベルトや安全ベルトなどの帯状のものに、例えば表面にフリーデザインされた粘着テープを貼り付ける際、帯状体の余分な動きが規制されるので、作業者が意図しない方向に曲がったりよじれたりすることもなく、貼付作業を確実に行うことができる。
【００１３】  又は、本発明は、シートベルトの表面に、離けいフィルムで粘着面を保護されロール状に巻回された粘着テープを回転可能及び着脱可能に支持するテープ支持体と、このテープ支持体に支持された粘着テープから引き出された粘着テープを案内する第１のガイドローラと、該第１のガイドローラを一部掩覆するように対向して配置されている第１の案内体と、粘着テープが貼付される帯状体を案内し、前記第１のガイドローラとの間に前記引き出された粘着テープを前記帯状体に対向して位置させ、前記第１のガイドローラと協同して圧着する第２のガイドローラと、該第２のガイドローラを一部掩覆するように該第２のガイドローラに対向して配置されている第２の案内体を備え、前記テープ支持体から引き出され前記第１のガイドローラに案内された前記粘着テープの粘着面が貼付される前記帯状体の所定位置に対向するように、前記帯状体を規制する規制部を前記第２の案内体に設けてなることを特徴とする粘着テープ繰り出し装置を用いて、その表面に任意の文字あるいは画像を付した前記粘着テープを貼着したシートベルトへの粘着テープ貼付方法である。
【００１４】  この構成により、本発明の粘着テープは、シートベルト、安全ベルト、カバンのベルト等の帯状のものに接着し、使用時に剥離しない粘着テープを実現することができ、又は、ベルトの装飾性を高めることができ、又は、運転者独自の粘着テープを貼ることができるので、シートベルトの使用率が高まり、安全な運転を促すことができる。
【発明を実施するための最良の形態】
【００１５】  以下、本発明の粘着テープ繰り出し装置における実施の形態を図に基づいて説明する。尚、各図において同一箇所には同一符号を付している。【００１６】  図１は本発明の実施形態にかかる粘着テープ繰り出し装置１を側面から見た図である。また、図２は図１に示す粘着テープ繰り出し装置１の上面図である。さらに、図３は図１に示す粘着テープ繰り出し装置１をベルト４側から見た正面図である。第２ガイド板２３の溝部２３ａはベルト幅Ｗである。この粘着テープ繰り出し装置１は大括りすると、粘着テープ５を保持するテープホルダ体２と粘着テープ５が貼り付けられるベルト４を支承するベルトガイド体３から成っている。テープホルダ体２の詳細部分は、図４の分解斜視図に示される。【００１７】  テープホルダ体２は、その粘着性表面に離けいフィルム６を粘着した粘着テープ５を案内するための円筒状の第１ガイドローラ１１を備えている。第１ガイドローラ１１は、その両端部に軸部１１ａ，１１ｂを有しており、その軸部１１ａ，１１ｂを介して側板１２，１２が嵌合している。離けいフィルム６は、表面を保護するフィルム状のものであり、剥離紙、離けい紙などが含まれる。離けいフィルム６は、粘着面に付着し、粘着面から剥がすことができる。【００１８】  １３はロール状に巻回した粘着テープ５をセットするためのボビンローラであって、両端部に軸部１３ａ，１３ｂを有している。側板１２，１２は、両端部を第１ガイドローラ１１の略半円とボビンローラ１３の略半円とし、第１ガイドローラ１１側からボビンローラ１３側まで延び、次第に幅広くなる形状を呈している。また、側板１２，１２には、ボビンローラ１３を軸部１３ａ，１３ｂで回動可能に軸支するための切り欠き部１２ａ、１２ｂが形成してある。したがって、ボビンローラ１３は軸部１３ａ，１３ｂを切り欠き部１２ａ、１２ｂに沿ってスライドさせ、セットしたり、取り外したりすることが出来る。切り欠き部１２ａ、１２ｂはボビンローラ１３が激しく回動しても、はずれ落ちないように、図４に示す如く、所定角度の傾きをもたせて形成するのが好ましい。【００１９】  さらに、側板１２，１２のボビンローラ１３側の端部間には、粘着テープ５を案内するものであって、円弧状断面の第１の案内体である第１ガイド板１４が取り付けられ、一体化している。そして、第１ガイド板１４には、図示のように、離けいフィルム６を挿入して保持するためのセパレータ１６を取り付けることもできる。このセパレータ１６の一端部は、釣り針状断面を呈し、粘着テープ５裏面の離けいフィルム６を引っ掛けて剥がすようになっている。このセパレータ１６は、周知のバネ性をもたせた薄い金属板で形成することができる。セパレータ１６は、例えば円弧状断面で第１ガイド板１４と一体化して形成してもよい。その場合は離けいフィルム６が挿入される溝部を設け、円弧状断面の溝部の対向側には、離けいフィルム６をセパレータ１６側に押し付けて保持する爪部を形成する。このセパレータ１６本体と爪部の弾性変形作用により、離けいフィルム６の位置はキープされる。また、側板１２，１２の第１ガイドローラ１１側の上端部間には、補強板１７が取り付けられ、一体化されてもよい。【００２��】  さらに、側板１２，１２には、テープホルダ体２とベルトガイド体３の係止状態の位置を規制するためのストッパ１８、１８が立設してある。このストッパ１８は、例えば、ピンを立設してもよく、突起を形成してもよい。【００２１】  ベルトガイド体３は、粘着テープ５が貼付されるベルト４等を案内する円筒状の第２ガイドローラ２１を備えている。第２ガイドローラ２１は、その両端部に軸部２１ａ、２１ｂを有しており、その軸部２１ａ、２１ｂを介してアーム板２２，２２が嵌合している。アーム板２２，２２は、第２ガイドローラ２１の略半円を両端部とする長片部材であり、長手方向の略中央には、第１ガイドローラ１１の軸部１１ａ、１１ｂ嵌め込まれるように、鍵穴状の切り欠き部２２ａ、２２ｂが形成されている。アーム板２２，２２の第２ガイドローラ２１側端部間は、ベルト４等を案内する略半円筒状の第２の案内体である第２ガイド板２３が取り付けられ、一体化している。第２ガイド板２３には、ベルト４等の位置を規制するための溝部２３ａが長手方向に形成されている。さらに、アーム板２２，２２には、切り欠き部２２ａ、２２ｂを挟んで第２ガイドローラ２１に対向する側に、ストッパ１８、１８が嵌め込む穴２２ｃ、２２ｄが形成されている。【００２２】  次に、テープホルダ体２とベルトガイド体３のセッティングを説明する。
ベルトガイド体３の側板２２の切り欠き部２２ａ、２２ｂにテープホルダ体２の第１ガイドローラ１１の軸部１１ａ、１１ｂを嵌め込む。そして、ベルトガイド体３を軸部１１ａ、１１ｂを中心にして回動させ、ベルトガイド体３の穴２２ｃ、２２ｄにテープホルダ体２のストッパ１８、１８が嵌ったところで、両者はロックされる。【００２３】  粘着テープ５は、図６に示すように、粘着剤５１が付着し、ベルト４に付着していな状態では、粘着剤５１を覆う離けいフィルム６を備えている。粘着テープ５としては、シートベルトや安全ベルトやカバンなどのベルト４に貼り付けられるものならどのような形状でも良く、例えば、幅２０〜５０ｍｍ、長さ１００ｍｍ〜１０００ｍｍが好適である。粘着テープ５が貼り付けられた際の表示効果を高めるため、その表面にフリーデザインを施すとよい。また、粘着テープの粘着剤５１は、ベルト４に十分に貼り付けられるものならどのような材料でも良く、例えばアクリル系を使用できる。粘着テープ５の粘着剤として、室温下での接着性や耐ヒートサイクル性が良好であることが好ましく、例えば、日東電気工業株式会社製のＮｏ．５００を使用することができる。この粘着テープ５をφ３０〜φ３５ｍｍのボビンローラ１３に巻きつける。粘着テープ５の基材としては、耐熱性、耐候性、難燃性に優れたものが好ましく、例えば、ポリカーボネート樹脂フィルム又はＰＶＣが好適で、例えば０．０５ｍｍ〜０．１５ｍｍ厚のものを使用することができる。また、粘着テープ５の基材として、革製、布製も使用できる。その場合、シートベルトの収納部の構造を厚手のシートベルトでも収納できる構造とするとよい。また、粘着テープ５の端部は、半円状に形成することにより、粘着テープ５をベルト４４に貼着した後、所望しない剥離を防止することができる。【００２４】  粘着テープ５は、引っ張られたり、曲げられたり、頻繁に伸張と屈曲が繰り返されるので、それに耐える粘着力が重要である。そこで、粘着テープ５の下限の粘着力が求められる。その下限の粘着力（貼合わせ後２４時間）は、７００（ｇｆ／２５ｍｍ）であり、好ましくは１０００（ｇｆ／２５ｍｍ）であり、更に好ましくは１１００（ｇｆ／２５ｍｍ）である。この下限値を下回ると、粘着テープ５は、ベルト４のベルト収容部内で剥離し、その収容部内で絡みつく恐れがある。【００２５】  永久に粘着テープ５をベルト４に付着する場合は、上限の粘着力（貼合わせ後２４時間）は、特に制限されないが、粘着テープ５をベルト４から剥離して交換する場合、２０００（ｇｆ／２５ｍｍ）であり、好ましくは１５００（ｇｆ／２５ｍｍ）であり、更に好ましくは１２００（ｇｆ／２５ｍｍ）である。この上限値を超えると、粘着力が強すぎ、剥離することが困難になる。剥離する際、粘着テープ５が一部ベルト４に残存して、剥離に多大な労力が必要となる。【００２６】  なお、これらの接着力の測定値は、テープ幅：２５ｍｍ、被着体：ステンレス板、引き剥がし角度：１８０度、引き剥がし速度：３００ｍｍ／分、貼合わせ後：２４時間における測定方法によるものである。【００２７】  粘着テープ５のフィルム材質の厚み（離はく紙と粘着剤の厚さを除いた値）は、粘着テープ５が粘着し���ベルト４をベルト収容部に容易に収容できる条件、ベルトを曲げた際の粘着テープ５に加わる歪などにより制限される。粘着テープ５のフィルム材質の厚みは、０．０１ｍｍ〜０．５ｍｍが好ましく、更に、０．１ｍｍ〜０．２ｍｍが好ましい。下限値より薄いと、ベルトへの粘着の作業性が悪化し、粘着テープ５の破損が生じやすくなり、また、上限値より厚いと、ベルト収容部への収容が妨げられる恐れがある。【００２８】  次に、上述した実施形態の作用を説明する。
図５は、本発明にかかる粘着テープ繰り出し装置の使用状態を示す説明図である。図５（ａ）に示されるように、まず、本発明にかかる粘着テープ繰り出し装置１のテープホルダ体２とベルトガイド体３のロックをはずした状態にする。ベルトガイド体３の第２ガイドローラ２１に粘着テープ５を貼付しようとするシートベルトや安全ベルトなどの帯状のもの４を沿わせる。このとき、シートベルトや安全ベルトなどの幅方向の位置合わせのため、第２ガイド板２３の溝部２３ａにシートベルトもしくは安全ベルトを緩挿させる。一方、離けいフィルム６で粘着面を保護されロール状に巻回した粘着テープ５は、テープホルダ体２のボビンローラ１３にセットする。このとき、粘着テープ５は、ボビンローラ１３が図１において、反時計方向に回転する向きにセットする。次いで、ボビンローラ１３から粘着テープ５を引き出し、テープ先端を被着体であるシートベルトもしくは安全ベルトに貼り付ける。シートベルトもしくは安全ベルトにおける貼付位置は作業者が所望の位置に決定する。次いで、ベルトガイド体３のアーム板２２、２２を切り欠き部２２ａ、２２ｂをテープホルダ体２の第１ガイドローラ１１に形成されている軸部１１ａ，１１ｂに押し込みながら嵌め込む。フタ２４を取り付けることにより、図５（ｂ）の状態になる。そして、図５（ｃ）に示されるように、テープホルダ体２を矢印（Ｐ方向）に引くことにより、所定の粘着テープ５はシートベルトもしくは安全ベルトに曲がったりよじれたりすることもなく、綺麗に貼付することができる。【００２９】  次に、上記粘着テープ繰り出し装置１を用いてシートベルト４へ粘着テープ５を貼着したシートベルトを説明する。通常自動車に搭載されているシートベルトは、ポリエステルを主材料とする織布で形成され、黒色の帯状をなしている。このような、シートベルトに任意の文字を表示すれば、自動車の運転者に対しても、あるいは走行する自動車に対面する人に対しても、メッセージを伝達する手段となりうる。また、単なる黒色の帯状物より、任意の色彩で描画された画像を表示すれば、装飾性が高まる。粘着テープ５の面に描かれる文字あるいは画像とは、粘着テープ５の表面に描けるものならばどのようなものでもよく、図形や写真などの絵も含むことができる。粘着テープ５の面には、夜光などの蛍光塗料を付着させ、夜間に目立つようにしてもよい。蛍光塗料は、文字や画像の他に、背景色として使用しても良い。【００３０】  ところで、車両用のシートベルト自体は、引張強度は高いものの、常に変形力を印加されるため、その表面に文字あるいは画像を表示することは困難である。また、文字や画像を任意の時期に変更することができないと、視者にとって、飽きがきて、印象の強い表示機能を果たすことができない。そのために、簡便に、かつ短時間にその表示を変更することができることが好ましい。【００３１】  このため、前述の粘着テープ繰り出し装置を用いて、印刷などにより任意の文字あるいは画像を付した粘着テープ５を貼着し、任意の期間後これを剥離して再度他の文字あるいは画像を付した粘着テープ５を貼着すれば、より装飾性が高まり、あるいは情報伝達機能が向上した表示を行うことができる。表示文字としては、宣伝広告メッセージ、あるいは、道路交通マナーの向上を呼びかけるメッセージなどが好ましい。【００３２】  以下に車両のシートベルト用粘着テープの実施例を説明する。
図６には、表面に『快適宣言』の標語を記載した粘着テープ５の一例を示す。この標語の下に英文でノースモーキングなどの標語を記載しても良い。これらの標語により、宣伝広告の効果やマナー向上を図ることができる。定期的に粘着テープ５を交換し、標語を変えることにより、気分を新鮮にすることができる。粘着テープ５の基本的な物性を下記の表１に示す。なお、測定条件は、上記実施の態様の箇所の記載と同一である。ここで、フィルム材質は、粘着テープ５の材質であり、フィルム厚みは、粘着剤を除いた粘着テープ５の厚さである。【００３３】
2004103870.tif 000003
【００３４】  本発明は上記実施の形態に限定されることなく、特許請求の範囲に記載した発明の範囲内で、種々の変形が可能であり、それらも本発明の範囲内に含まれるものであることはいうまでもない。
【図面の簡単な説明】
【００３５】［図１］本発明にかかる粘着テープ繰り出し装置の一実施形態の側面図である。
［図２］図１に示す粘着テープ繰り出し装置の上面図である。
［図３］図１に示す粘着テープ繰り出し装置をベルト側から見た正面図である。
［図４］図１に示す粘着テープ繰り出し装置の分解斜視図である。
［図５］本発明にかかる粘着テープ繰り出し装置の使用状態を示す説明図である。
［図６］本発明にかかる粘着テープの説明図である。
【符号の説明】
【００３６】１：粘着テープ繰り出し装置、２：テープホルダ体、３：ベルトガイド体、４：帯状体（ベルト）、５：粘着テープ、５１：粘着剤、６：離けいフィルム、１１：第１ガイドローラ、１１ａ、１１ｂ：軸部、１２：側板、１２ａ、１２ｂ：切り欠き部、１３：ボビンローラ、１３ａ，１３ｂ：軸部、１４：第１ガイド板、１６：セパレータ、１６ａ：溝部、１６ｂ：爪部、１７：補強板、１８：ストッパ、２１：第２ガイドローラ、２１ａ、２１ｂ：軸部、２２：アーム板、２２ａ、２２ｂ：切り欠き部、２３：第２ガイド板、２３ａ：溝部、２４：フタ。
【図１】
2004103870.tif 000004
【図２】
2004103870.tif 000005
【図３】
2004103870.tif 000006
【図４】
2004103870.tif 000007
【図５】
2004103870.tif 000008
【図６】
2004103870.tif 000009
【国際調査報告】
2004103870.tif 000010
2004103870.tif 000011